(57)【特許請求の範囲】
【請求項１】
表示部への接触を検出する接触検出部と、
前記接触検出部が検出した検出結果に基づいて、接触時間が所定の時間以上か否か及び接触面積が所定の面積以上か否かを判定する接触判定部と、
所定の検出手段によって検出された検出結果に基づいて自装置がハンドリングされているか否かを判定するハンドリング判定部と、
前記接触判定部の判定結果が、前記接触時間が前記所定時間以上であり、かつ、前記接触面積が前記所定の面積以上であって、さらに、前記ハンドリング判定部が自装置がハンドリングされていないと判定した場合に、前記表示部の表示を停止する制御部と、
を有する端末装置。
【請求項２】
前記所定の検出手段は、自装置が備える加速度センサであって、前記ハンドリング判定部は、前記加速度センサの検出結果に基づいて自装置の位置に動きがあるかどうかを検出し、動きがあれば自装置がハンドリングされていると判定する
請求項１に記載の端末装置。
【請求項３】
前記所定の検出手段は、前記接触検出部であって、前記ハンドリング判定部は、前記接触検出部の検出結果に基づいて前記表示部への接触位置を検出し、当該接触位置が前記表示部の周縁部であれば自装置がハンドリングされていると判定する
請求項１または請求項２に記載の端末装置。
【請求項４】
自装置が備える表示部への接触を検出する第１ステップと、
前記検出結果に基づいて、接触時間が所定の時間以上か否か及び接触面積が所定の面積以上か否かを判定する第２ステップと、
所定の検出手段によって検出された検出結果に基づいて自装置がハンドリングされているか否かを判定する第３ステップと、
前記第２ステップの判定結果が、前記接触時間が前記所定時間以上であり、かつ、前記接触面積が前記所定の面積以上であって、さらに、前記第３ステップで、自装置がハンドリングされていないと判定した場合に、前記表示部の表示を停止する第４ステップと、
を有する端末装置制御方法。
【請求項５】
端末装置のコンピュータに、
自装置が備える表示部への接触を検出する第１ステップと、
前記検出結果に基づいて、接触時間が所定の時間以上か否か及び接触面積が所定の面積以上か否かを判定する第２ステップと、
所定の検出手段によって検出された検出結果に基づいて自装置がハンドリングされているか否かを判定する第３ステップと、
前記第２ステップの判定結果が、前記接触時間が前記所定時間以上であり、かつ、前記接触面積が前記所定の面積以上であって、さらに、前記第３ステップで、自装置がハンドリングされていないと判定した場合に、前記表示部の表示を停止する第４ステップと、
を実行させるためのプログラム。
【発明の詳細な説明】
【技術分野】
【０００１】
本発明は、端末装置、端末装置制御方法およびプログラムに関する。
【背景技術】
【０００２】
近年、スマートフォンなど携帯端末の薄型化が進み、内部で発生した熱が筐体の表面に伝わりやすい構造となっている。それに伴い端末装置と人体の長時間接触による低温やけどが懸念されている。低温やけどは触れて熱いと感じない比較的低い温度であっても長時間皮膚が熱にさらされていることにより発生する。低温やけどは、例えば、ユーザがゲームのプレイ中や動画の視聴中に寝てしまい、携帯端末に覆いかぶさったままの状態が長時間継続したようなときに発生しやすい。
【０００３】
このような問題に対し、例えば特許文献１には、装置の温度に対して温度しきい値を複数設け、一定時間以上の人体の接触を検出した場合に、温度しきい値を低温やけどが起こらない温度に切り替え、装置の内部温度が温度しきい値よりも高いと判断された場合に、装置の温度を低下させる制御を行う技術が開示されている。
【先行技術文献】
【特許文献】
【０００４】
【特許文献１】特開２０１０−１２４２４６号公報
【発明の概要】
【発明が解決しようとする課題】
【０００５】
しかし、特許文献１に記載の方法のように「一定時間以上の人体の接触を検出する」だけでは、低温やけどの防止に対する的確な温度制御とはならない。例えば、温度制御の方法として、スマートフォンを正面から見たときに大部分の領域を占める画面の表示状態を表示停止に切り替えることで、スマートフォン正面の温度を低下させる制御について考えてみる。この場合、接触時間のみによって温度制御を行うと、ユーザが意図して画面に対する接触を継続している場合であっても、接触が一定時間以上継続すれば表示停止に切り替えることになる。すると、画面の表示情報を閲覧していたユーザの利便性が損なわれる。また、近年の携帯端末における画面の拡大と、それに伴う画面回りの筐体部分（額縁）の狭隘化によって、ユーザが意識しなくても画面に接触してしまうこともあり、そのような場合にも意図しない接触が一定時間継続すると、表示停止に切り替えられてしまい利便性が損なわれる。
【０００６】
そこでこの発明は、上述の課題を解決することのできる端末装置、端末装置制御方法およびプログラムを提供することを目的としている。
【課題を解決するための手段】
【０００７】
本発明は、表示部への接触を検出する接触検出部と、前記接触検出部が検出した検出結果に基づいて、前記表示部への接触の状態を判定する接触判定部と、所定の検出手段によって検出された検出結果に基づいて自装置がハンドリングされているか否かを判定するハンドリング判定部と、前記接触判定部の判定結果と前記ハンドリング判定部の判定結果とに基づいて、自装置の動作モードを切り替える制御部と、を有する端末装置である。
【０００８】
また本発明は、自装置が備える表示部への接触を検出するステップと、前記検出結果に基づいて、前記表示部への接触の状態を判定するステップと、所定の検出手段によって検出された検出結果に基づいて自装置がハンドリングされているか否かを判定するステップと、前記接触の状態の判定結果と前記ハンドリングされているか否かの判定結果とに基づいて、自装置の動作モードを切り替えるステップと、を有する端末装置制御方法である。
【発明の効果】
【０００９】
本発明によれば、端末装置の表示部に接触している時間、面積に加え、端末装置のハンドリング状態を検出して端末装置の温度の制御を行うことによってユーザの利便性を確保しつつ低温やけどを防止することができる。
【図面の簡単な説明】
【００１０】
【図１】本発明の第一の実施形態に係る端末装置の外観の一例を示す正面図である。
【図２】本発明の第一の実施形態に係る端末装置の構成の一例を示すブロック図である。
【図３】本発明の第一の実施形態に係る処理のフローチャートである。
【図４】本発明の第二の実施形態に係る端末装置の表示部への接触とハンドリング判定を説明する図である。
【図５】本発明の第二の実施形態に係る処理のフローチャートである。
【発明を実施するための形態】
【００１１】
＜第一の実施形態＞
以下、本発明の一実施形態による端末装置を図１〜図３を参照して説明する。
図１は、本発明の第一の実施形態に係る端末装置の外観の一例を示す正面図である。
端末装置１は、例えば、スマートフォンやタブレット端末等のタッチパネルを備える電子機器である。端末装置１は、薄型で矩形状の外観を有し、その前面に表示部１０を備えており、表示部１０は、端末装置１の前面の大部分を占めている。また、端末装置１には、ＣＰＵ（Central Processing Unit）、メモリやＨＤＤ（Hard disk drive）等の記憶装置が備えられている。
【００１２】
図２は、本発明の第一の実施形態に係る端末装置の構成の一例を示すブロック図である。
端末装置１は、表示部１０、ＣＰＵ２０、接触検出部２１、表示制御部２２、接触判定部２３、ハンドリング判定部２４、タイマ３０、加速度センサ４０、記憶装置５０を備える。これらの部材はバスを介して相互にデータの送受を行うことができる。
【００１３】
表示部１０は、端末装置１の画面である。表示部１０は、例えばタッチパネル１１とＬＣＤ（Liquid Crystal Display）１２などの表示装置のパネルとが一体に組み合わされたもので、表示機能と入力機能を兼ね備えている。タッチパネル１１は、ユーザの表示部１０へのタッチ操作を受け付け、受け付けたタッチ操作を示すタッチ操作情報を接触検出部２１に出力する。
ＣＰＵ２０は、記憶装置５０に格納されたプログラムを読み出して実行する。表示制御部２２、接触判定部２３、ハンドリング判定部２４は、ＣＰＵ２０がプログラムを実行することにより仮想的に構成された機能ブロック図である。
【００１４】
接触検出部２１は、ユーザによるタッチ操作を検出する。例えば、タッチパネルが静電容量方式の場合、接触検出部２１は、表示部１０に対するタッチ操作に応じて、タッチパネル１１が検出した静電容量の変化量を取得し、取得した静電容量の変化量に基づいてタッチ操作がされたことを検出する。なお、タッチパネル１１が検出した静電容量の変化量を「タッチ検出量」と称する。タッチ検出量には、タッチされた位置を示す情報が含まれている。ここで、位置を示す情報とは、例えば、タッチパネル１１上に定められている座標である。接触検出部２１は、検出したタッチ検出量を検出結果として接触判定部２３に出力する。
【００１５】
表示制御部２２は、表示部１０の動作や表示部１０に表示する表示情報を制御する。例えば、表示制御部２２は、表示部１０に表示する表示情報を生成し、表示部１０へ出力する。また、例えば、表示制御部２２は、表示部１０の明るさの調整や表示を停止するなどの表示状態の制御を行う。本実施形態においては、接触判定部２３が、ユーザの表示部１０への接触時間が長、かつ接触面積が大と判定し、さらにハンドリング判定部２４が端末装置１がユーザによってハンドリングされていないと判定した場合に、表示部１０の表示を停止する制御を行う。接触判定部２３とハンドリング判定部２４の判定については後述する。
【００１６】
接触判定部２３は、接触検出部２１が検出した検出結果に基づいて、ユーザの表示部１０への接触の状態を判定する。例えば、接触判定部２３は、接触検出部２１から取得したタッチ検出量に基づいて、表示部１０にユーザが接触したか否かを判定する。例えば、タッチ検出量が所定の値以上であればユーザが表示部１０に接触したと判定する。また、接触判定部２３は、接触検出部２１から取得したタッチ検出量に基づいて、例えばタッチ検出量に含まれる接触領域の座標情報から接触領域の面積（接触面積）を算出する。接触判定部２３は、算出した接触面積が所定の面積以上の場合、ユーザによる接触面積が大と判定する。この接触面積の判定に用いる閾値の値は、例えば、ユーザが確実に表示部１０に接触したと判定できる面積の値である。また、接触判定部２３は、ユーザが表示部１０に接触したと判定すると、タイマ３０を用いて接触時間を計測する。接触判定部２３は、計測した接触時間が所定の時間以上の場合、ユーザによる接触時間が長と判定する。
【００１７】
ハンドリング判定部２４は、所定の検出手段によって検出された検出結果に基づいて自装置（端末装置１）がハンドリングされているか否かを判定する。ハンドリングとは、ユーザが端末装置１を把持していることをいう。ユーザが意図して端末装置１を把持している場合、ユーザの指が表示部１０に長時間接触しているとしても、低温やけど防止のために接触部分の温度を低下させる制御を行うことは適切ではない場合がある。例えば、接触部分の温度低下のためには表示部１０の表示を停止する制御を行うことが考えられるが、表示を停止すると、ユーザが表示部１０に表示された表示情報を継続して閲覧していたような場合、その閲覧行為が中断され、ユーザの利便性が損なわれる。そこで、ハンドリング判定部２４は、ユーザが意図して端末装置１を把持しているか否か、つまりユーザが端末装置１をハンドリングしているかどうかを判定する。本実施形態においては、ハンドリング判定部２４は、端末装置１が備える加速度センサ４０が検出した加速度情報を取得し、その加速度情報に基づいて、端末装置１の位置に動きがあるかどうかを検知し、端末装置１の位置に動きがあれば、ユーザが端末装置１をハンドリングしていると判定する。
【００１８】
タイマ３０は、接触判定部２３の指示に基づいて時間を計測する。タイマ３０は、計測した時間を示す時間情報を接触判定部２３に出力する。
加速度センサ４０は、端末装置１の加速度を検出し、検出した加速度を示す加速度情報をハンドリング判定部２４に出力する。
記憶装置５０は、ＣＰＵ２０によって実行されるプログラムや、閾値等の設定情報を記憶している。
【００１９】
図３は、本発明の第一の実施形態に係る処理のフローチャートである。
図３の処理フローを用いて、ユーザの表示部１０への接触の状態と、ユーザが端末装置１をハンドリングしているか否かに基づいて、表示制御部２２が表示部１０の表示モードを制御する処理について説明する。
まず、接触判定部２３が、接触検出部２１からタッチ検出量を取得し、ユーザが表示部１０に接触しているかどうかを判定する（ステップＳ１）。接触していないと判定した場合（ステップＳ１；Ｎｏ）、接触判定部２３は、タイマ３０をリセットする（ステップＳ４）。接触していると判定した場合（ステップＳ１；Ｙｅｓ）、接触判定部２３は、公知の手法によってユーザによる表示部１０への接触面積を算出する。そして、接触判定部２３は、算出した接触面積が所定の閾値Ｔｈ１以上かどうかを判定する（ステップＳ２）。閾値Ｔｈ１は、端末装置１が備える記憶装置５０に予め書き込まれ記憶されている。閾値Ｔｈ１以上ではないと判定すると（ステップＳ２＝Ｎｏ）、接触判定部２３は、タイマ３０をリセットする（ステップＳ４）。閾値Ｔｈ１以上であると判定した場合（ステップＳ２；Ｙｅｓ）、接触判定部２３は、ハンドリング判定部２４へハンドリング判定を行うよう指示信号を出力する。
【００２０】
次にハンドリング判定部２４は、指示信号を取得すると、端末装置１がユーザによってハンドリングされているか否かの判定を行う（ステップＳ３）。具体的には、ハンドリング判定部２４は、加速度センサ４０から加速度情報を取得し、取得した加速度情報を積分することで、端末装置１の移動速度を算出するなどして、端末装置１の位置に動きかがあるかどうかを検出する。端末装置１の位置に動きかがある場合、ハンドリング判定部２４は、端末装置１はハンドリングされていると判定する。これは、例えばユーザが端末装置１を手に持って、継続して意図的に表示部１０に接触しているような状況である。ハンドリングされていると判定すると（ステップＳ３；Ｙｅｓ）、ハンドリング判定部２４は、タイマ３０をリセットする。一方、端末装置１の位置に動きかが無い場合、ハンドリング判定部２４は、端末装置１はハンドリングされていないと判定する。これは、例えば端末装置１が机の上に置かれ、端末装置１の位置の移動が無い状態で、ユーザが継続して表示部１０に接触しているような状況である。ハンドリングされていないと判定すると（ステップＳ３；Ｎｏ）、ハンドリング判定部２４は、タイマ３０が時間の計測を行っているかどうかを検出し（ステップＳ５）、時間の計測を行っていない場合（ステップＳ５；Ｎｏ）、タイマ３０をスタートする（ステップＳ６）。また、既に時間の計測を行っている場合（ステップＳ５；Ｙｅｓ）、タイマ３０は、時間計測の開始から所定時間が経過したかどうかを判定する（ステップＳ７）。所定時間が経過していない場合（ステップＳ７；Ｎｏ）、ステップＳ１からの処理を繰り返す。所定時間が経過した場合（ステップＳ７；Ｙｅｓ）、タイマ３０は、所定時間が経過した旨の信号を表示制御部２２へ出力する。表示制御部２２は、この信号を取得すると、表示部１０の表示を停止する（ステップＳ８）。これにより、ユーザの人体との接触領域の温度を低下させ、低温やけどを防止する。
【００２１】
本実施形態によれば、端末装置１に接触している時間、面積に加え、端末装置１のハンドリング状態を端末装置１の位置の変化に基づいて端末装置１の表示モードの制御を行って端末装置１の温度の制御を行うため、利便性を確保しつつ低温やけどを防止することができる。
【００２２】
＜第二の実施形態＞
以下、本発明の第二の実施形態による端末装置を図４を参照して説明する。
第二の実施形態において、ハンドリング判定部２４（図２）は、接触検出部２１が検出したタッチ検出量に基づいて、表示部１０への接触位置を検知し、接触位置が表示部１０の周縁部（額縁）であれば、ユーザが端末装置１をハンドリングしていると判定する。周縁部とは、表示部１０内であって、画面端からの距離が所定以内の領域を指すものとする。他の構成は第一の実施形態と同じである。
図４は、本発明の第二の実施形態に係る端末装置の表示部への接触とハンドリング判定を説明する図である。
【００２３】
図４（ａ）は、片手で端末装置１が把持されている状態の例を示す第一の図である。
符号２Ａの示す領域は、例えば左手親指と端末装置１の筐体左側の額縁との接触領域を示しており、符号２Ｂの示す領域は、左手の親指以外の指と端末装置１の筐体右側の額縁との接触領域を示している。この図の例の場合、領域２Ｂには、筐体右側の額縁と接触するのみならず表示部１０と重なっている部分があり、接触検出部２１は、ユーザの表示部１０への接触を検出する。ハンドリング判定部２４は、接触検出部２１が検出したタッチ検出量を取得し、取得したタッチ検出量に含まれる位置情報に基づいて、ユーザの表示部１０への接触位置が、表示部１０の右側辺の付近であることを検出する。ハンドリング判定部２４は、接触位置が表示部１０の周縁部だけであることから、ユーザが端末装置１をハンドリングしていると判定する。
【００２４】
図４（ｂ）は、片手で端末装置１が把持されている状態の例を示す第二の図である。
図４（ｂ）の符号２Ａの示す領域は、例えば左手親指が端末装置１の筐体上側の額縁と接触するのみならず表示部１０と重なっている部分があり、接触検出部２１は、ユーザの表示部１０への接触を検出する。ハンドリング判定部２４は、接触検出部２１が検出したタッチ検出量を取得し、取得したタッチ検出量に含まれる位置情報に基づいて、ユーザの表示部１０への接触位置が、表示部１０の上側辺の付近であることを検出する。ハンドリング判定部２４は、接触位置が表示部１０の周縁部だけであることから、ユーザが端末装置１をハンドリングしていると判定する。
【００２５】
図４（ｃ）は、片手で端末装置１が把持されている状態の例を示す第三の図である。
図４（ｃ）の符号２Ａの示す領域は、例えば左手親指と端末装置１の筐体額縁及び表示部１０との接触領域を示している。この図の例の場合、ハンドリング判定部２４は、接触検出部２１が検出したタッチ検出量を取得し、取得したタッチ検出量に含まれる位置情報に基づいて、ユーザの表示部１０への接触領域は、表示部１０の左側辺付近だけではなく、表示部１０の中央部に及ぶ領域であることを検出する。このような場合、ハンドリング判定部２４は、接触位置が表示部１０の周縁部だけではないことから、ユーザが端末装置１をハンドリングしていないと判定する。
【００２６】
図４（ｄ）は、端末装置１に例えば腕などがかぶせられた状態の例を示す図である。
図４（ｄ）の符号２Ａの示す領域は、腕などの人体と端末装置１の筐体額縁及び表示部１０との接触領域を示している。この図の例の場合、ハンドリング判定部２４は、接触検出部２１が検出したタッチ検出量を取得し、取得したタッチ検出量に含まれる位置情報に基づいて、ユーザの表示部１０への接触領域が、表示部１０の大部分の領域であることを検出する。このような場合、ハンドリング判定部２４は、接触位置が表示部１０の周縁部だけではないことから、ユーザが端末装置１をハンドリングしていないと判定する。
【００２７】
近年、端末装置において、ユーザが把持したり持ち運んだりする大きさに限りがあることから、筐体に対して大きな画面を設け、筐体の額縁は細くなる傾向にある。その結果、ハンドリングの状態によってはユーザが意図しなくともユーザの指が表示部１０に接触してしまうことがあり、あるいは、接触検出部２１が、表示部１０の外周縁外側への人体の接触をもタッチ操作として検出する場合がある。そのような場合、一定時間以上の人体の接触の検出だけに基づいて、装置の表示モードの制御を行って装置の温度を低下させると、低温やけどの恐れのない状況においても、表示部１０の表示を停止してしまう。従って、図４（ａ）、（ｂ）のような場合、ユーザが意図して端末装置１を把持し利用していると考えられることから、ハンドリング判定部２４は、ユーザが端末装置１をハンドリングしていると判定する。一方、図４（ｃ）、（ｄ）のような場合、ユーザが操作を目的とせずに単に表示部１０へ接触しているとみなし、ハンドリング判定部２４は、ユーザが端末装置１をハンドリングしていないと判定する。
【００２８】
次に本実施形態の処理の流れについて説明する。
図５は、本発明の第一の実施形態に係る処理のフローチャートである。
ステップＳ１及びステップＳ２は、第一実施形態と同様である。つまり、接触判定部２３が、接触検出部２１からタッチ検出量を取得し、ユーザが表示部１０に接触しているかどうかを判定し（ステップＳ１）、接触していないと判定した場合は、タイマ３０をリセットし、接触していると判定した場合は、表示部１０への接触面積を算出する。そして、接触判定部２３は、算出した接触面積が所定の閾値Ｔｈ１以上かどうかを判定し（ステップＳ２）、閾値Ｔｈ１以上ではない場合、タイマ３０をリセットし、接触面積が閾値Ｔｈ１以上と判定すると、ハンドリング判定部２４へハンドリング判定を要求する。
【００２９】
次にハンドリング判定部２４は、接触位置が周縁部でかつ接触面積が所定の閾値Ｔｈ２以下かどうかを判定する（ステップＳ９）。具体的には、ハンドリング判定部２４は、接触検出部２１が検出したタッチ検出量を取得し、ユーザの接触位置が表示部１０の周縁部であるか否かを検出する。また、タッチ検出量に含まれるユーザによる接触位置の座標情報から接触面積を算出する。そして、ハンドリング判定部２４は、記憶装置５０から閾値Ｔｈ２を読み出し、算出した接触面積と閾値Ｔｈ２とを比較する。ハンドリング判定部２４は、検出した接触位置が表示部１０の周縁部かつ接触面積が閾値Ｔｈ２以下の場合、ハンドリングされていると判定する。検出した接触位置が周縁部を含まないか又は接触面積が閾値Ｔｈ２を上回る場合、ハンドリング判定部２４は、端末装置１はハンドリングされていないと判定する。
【００３０】
以下の処理ステップは、第一実施形態と同様である。つまり、接触位置が周縁部でかつ接触面積が閾値Ｔｈ２以下の場合、ハンドリング判定部２４は、タイマ３０が時間計測を行っているか否かを検出し（ステップＳ５）、時間計測を行っていなければ、タイマ３０をスタート（ステップＳ６）する。時間計測中であれば、タイマ３０は、時間計測の開始から所定時間が経過したか否かを判定し（ステップＳ７）、経過していない場合、ステップＳ１からの処理を繰り返す。所定時間が経過した場合、タイマ３０は、所定時間が経過した旨の信号を表示制御部２２へ出力する。表示制御部２２は、この信号を取得すると、表示部１０の表示を停止する（ステップＳ８）。
【００３１】
本実施形態によれば、表示部１０の周縁部のみへの接触を検出し、そのような接触を検出しても、表示モードの制御を行わないことによって、利便性を確保しつつ低温やけどを防止することができる。例えば、移動中の車中で端末装置１にて動画を視聴しているユーザがいるとして、そのユーザが端末装置１へ覆いかぶさったまま寝てしまったとする。端末装置１の移動によるハンドリング判定だけでは、このような状況では端末装置１は、ハンドリングされていると判定され、画面の表示を停止する制御が動作せず、低温やけどをする可能性がある。そのような場合でも、本実施形態によれば、ハンドリング判定部２４は、周縁部以外の領域を含む接触の検出に基づいて、端末装置１はハンドリングされていないと判定し、画面の表示停止を行い、低温やけどを防ぐことができる。なお、本実施形態は、第一の実施形態と組み合わせることも可能である。
【００３２】
なお、上述の端末装置１は内部にコンピュータを有している。そして、上述した端末装置１の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００３３】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００３４】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、表示制御部が表示部１０の表示動作を停止するだけではなく、端末装置１に備わる端末装置１の機能動作を制御する制御部が、端末装置１の動作モードをスリープモードへ切り替えることによって端末装置１を低温化し、低温やけどを防止するような実施形態でもよい。なお、表示モードは、動作モードの一例である。
【符号の説明】
【００３５】
１・・・端末装置、１０・・・表示部、１１・・・タッチパネル、１２・・・ＬＣＤ、２０・・・ＣＰＵ、２１・・・接触検出部、２２・・・表示制御部、２３・・・接触判定部、２４・・・ハンドリング判定部、３０・・・タイマ、４０・・・加速度センサ
【図１】
0006345027.tif 000002
【図２】
0006345027.tif 000003
【図３】
0006345027.tif 000004
【図４】
0006345027.tif 000005
【図５】
0006345027.tif 000006